(57)【要約】【課題】駐車場利用者は、数分から数十分程度の極めて短時間の間だけでも駐車することができ、一方、駐車場の提供者は、特段の附帯設備を設けることなく、本人が利用しない少ない空き時間でも他者へ貸すことができる利便性かつ経済性に優れた空き駐車場管理システムを提供する。【解決手段】本発明システムは、アプリサービス運営サーバ１と、空き駐車場利用者の端末２と、空き駐車場の提供者（オーナー）の端末３と、駐車場管理者の端末４と、電子決済運営者５とから構成し、空き駐車場利用の手順を、車両ナンバーの撮影、決済方法の入力、個人情報の登録を含む車両登録ステップＳ１と、アプリケーションによる空き駐車場検索ステップＳ２と、アプリ上で駐車場を指定して入庫する入庫ステップＳ３と、出庫証明情報（画像等）を送信するステップＳ４と、駐車料金をクレジットカードや電子マネーで決済するステップＳ５から構成する。【選択図】図１
2013214265.tif 000002
【特許請求の範囲】
【請求項１】
駐車場オーナーから受託されて駐車場を管理する管理者端末と、空き駐車場を求める利用者端末と、前記管理者端末及び利用者端末に対してインターネットを介して接続されるアプリサービス運営サーバとを含む空き駐車場管理システムであって、前記アプリサービス運営サーバは、空き駐車場オーナーの属性及び所有する駐車場の情報を、予め駐車場データベースに登録する手段と、前記利用者の識別ＩＤ及びパスワードを、予め利用者データベースに登録する手段と、前記提供者端末からインターネットを介して、空き駐車場の時間賃借許可通知を受信し、駐車場データベースに賃借可能な空き駐車場として記憶する手段と、前記利用者端末からインターネットを介して、利用者の識別ＩＤの入力を促し、入力された識別ＩＤを前記利用者データベースへ照会して、利用者端末からのアクセスを許可するか否かを決定する手段と、許可された利用者端末からインターネットを介して、位置情報を含んだ空き駐車場検索要求を受信し、該位置情報をキーワードとして前記駐車場データベースから空き駐車場を検索して、指定位置近傍に存在する空き駐車場を抽出する手段と、前記利用者端末に前記空き駐車場情報を送信する手段とを備えたことを特徴とする空き駐車場管理システム。
【請求項２】
空き駐車場利用の手順として、車両ナンバーの撮影、決済方法の入力、個人情報の登録を含む車両登録ステップと、アプリケーションによる空き駐車場検索ステップと、アプリ上で駐車場を指定して入庫する入庫ステップと、出庫証明情報（画像等）を送信するステップと、駐車料金をクレジットカードや電子マネーで決済するステップからなることを特徴とする請求項１記載の空き駐車場管理システム。
【発明の詳細な説明】
【技術分野】
【０００１】  本発明は、インターネット等の情報ネットワークを介して空き駐車場の斡旋や手配等を行うことが可能な管理システムに関するものである。
【背景技術】
【０００２】  各都市部の中心市街地（とくに繁華街）における駐車場スペースは絶対数が足りずに、路上駐車が慢性化している。路上駐車は、走行車の円滑な進行を妨害して渋滞を招くだけでなく、歩行者の見通しを悪くして交通事故の原因ともなりかねない。また、路上駐車が緊急車両の進行を妨げるという弊害もある。さらに、近年、路上駐車の取締りが強化されたことと関連して、数分単位といった極めて短い間でも路上駐車をすることが困難になってきている。【０００３】  このため、市街地で駐車場を必要とする者は、コインパーキング等の時間貸しの駐車場を探して街中を徘徊してしまうことが往々にしてある。一方、企業や個人が市街地の駐車場を個々に所有し、又は賃貸契約している。しかしながら、その所有者（以下、単にオーナーと言う）は、駐車場を終日２４時間占有しているわけではない。そこで、駐車場を本人が利用しない空き時間帯だけ、他者へ貸すことができれば、それは路上駐車の収容先としても極めて有用である。【０００４】  インターネットが普及し、各種産業分野においてＩＴ化が進んでいる現在、インターネットに接続し得るスマートフォンを初めとする携帯電話、コンピュータ、モバイル端末等の通信端末を利用して、様々な情報をリアルタイムに取得することが可能である。【０００５】  従来、例えば、入場発券時に車両番号を撮影し、画像から車両番号を抽出し、車番認証システムで車両番号を特定した情報と、駐車場の各駐車スペース１箇所当たり１台ずつ設置された車両撮影用カメラによって、入庫した車両の車両番号から車番認証システムで特定した情報とをネットワーク上に設置したシステム制御用コンピュータによって管理把握し、入庫時間、料金精算、入庫場所の管理を効率化すると共に、インターネット経由で利用者の携帯電話Ｗｅｂサービスから利用者に情報を提供する管理システム（特許文献１参照。）。【０００６】  電話回線もしくは電話回線を用いたパソコン通信ネットワークによって、各駐車場の少なくとも駐車台数情報、混雑情報及び個別情報等の駐車場情報を収集し、これら情報を管理するとともに、このネットワークを介して送信可能な中央監視装置を設け、この中央監視装置に駐車場利用者がアクセスすることにより、各駐車場の最新の混雑情報、個別情報、駐車情報、駐車予約受諾情報を入手する駐車場管理システム（特許文献２参照。）。【０００７】  少なくとも駐車場斡旋管理サーバと、駐車場の提供者の端末と、空き駐車場利用者の端末とから構成される。駐車場斡旋管理サーバは、利用者端末からの駐車場情報検索要求に応じて、駐車情報検索手段によって、駐車場データベースから空き駐車場情報を検索することができる。そのために、駐車場斡旋管理サーバは、駐車場の提供者端末からの駐車場情報を記憶するプログラム、利用者からの情報検索要求に対して必要な情報を得るための検索プログラム、利用者端末の表示部に駐車情報を表示させ、空き駐車場の賃貸契約を締結するためのプログラムを実行する空き駐車場斡旋システム及び斡旋方法（特許文献３参照。）。【０００８】  固有の識別情報が記憶されこの情報を発信する無線通信手段を備えたカードと、駐車場ごとに設置されたカードからその識別情報を読み取���カードリーダと、このカードリーダにネットワークを介して接続された駐車場情報を記憶した管理サーバとを備えた駐車場管理システム（特許文献４参照。）。【０００９】  複数の駐車スペースを有する駐車場と、この駐車場に設置された複数のロケーションレシーバーと、車両する車両に設けられたＩＤタグと、このＩＤタグから送信された電波の各ロケーションバーへの到達時間の差からＩＤタグの位置を位置座標として取得する管理サーバとから構成される。管理サーバは、駐車場内の各車両に設けられたＩＤタグの位置座標から空き駐車スペースを検索するとともに、検索された駐車スペースに対応する車庫番号灯を備える駐車場管理システム（特許文献５参照。）。【００１０】  駐車場の複数の駐車位置を特定する情報が表示された複数色の二次元カラーバーコードと、駐車場に配備された複数の駐車位置を同時に撮影する撮像手段と、撮像手段で取得した画像情報を、ネットワークを介してサーバ装置へ送信する基地局情報送受信手段と、カラーバーコードによって特定される駐車位置を認識する空き駐車場位置認識手段を備えた駐車場管理システム（特許文献６参照。）。【００１１】  しかしながら、特許文献１の「駐車スペースの壁面または床面に駐車スペース固有の二次元コード」や特許文献４の「個別の駐車場配付カード」、特許文献５の「駐車車両に設けるＩＤタグ」、特許文献６の「駐車位置に設置されたカラーバーコード」と「撮像手段」を要する点において相応の機器設備に係るコストが生じる。【００１２】  また、特許文献２には、駐車場利用者は、家庭用電話、携帯電話、ＦＡＸ等を用いて、家庭内、自動車内の区別なく目的の駐車場情報［満空状況や混雑予想状況］を入手できることが記載され、特許文献３には、駐車場オーナーが自身の駐車場を空いた時間だけ間貸しすることができるインターネットを介した駐車場斡旋システムが記載されているものの、例えば、配送や荷物の積み下ろし、路面に面した店舗での簡単な買い物や軽食を取る程度の時間などのように、数分から数十分程度の極めて短時間の間だけでも駐車することができる点については何らの記載も示唆もされていない。
【先行技術文献】
【特許文献】
【００１３】
【特許文献１】特許第４３５２４３３号公報
【特許文献２】特許第４１２０９５３号公報
【特許文献３】特開２００７−１６４５５４号公報
【特許文献４】特許第４８０７０８２号公報
【特許文献５】特許第４５３６７４３号公報
【特許文献６】特開２０１０−２５０３９４号公報
【発明の開示】
【発明が解決しようとする課題】
【００１４】  すなわち、市街地各所の極めて短時間でも臨時に空く駐車場の情報を収集し、その情報を携帯端末、ウエブページ、ナビゲーションシステム等で開示提供するようなサービスは、未だ存在しないのが現状である。このため、駐車場のオーナーは、月極め駐車場で埋まらない駐車スペースがもたらす機会を損失している。また、利用者は、市街地（とくに繁華街）での駐車場不足、コインパーキング等を利用した場合のボリュームメリットがないこと、決定的な検索手段がないという課題は未だ解消されていない。
本発明は、従来技術の上記課題に鑑み、駐車場利用者は、配送や荷物の積み下ろし、路面に面した店舗での簡単な買い物や軽食を取る程度の時間などのように、数分から数十分程度の極めて短時間の間だけでも駐車することができ、一方、駐車場の提供者は、特段の附帯設備を設けることなく、オーナーが利用しない少ない空き時間でも他者へ貸すことができる利便性かつ経済性に優れた空き駐車場管理システムを提供することを目的とする。
【課題を解決するための手段】
【００１５】  上記目的を達成するために、本発明の空き駐車場管理システムは、駐車場オーナーから受託されて駐車場を管理する管理者の端末と、空き駐車場を求める利用者の端末と、前記管理者端末及び利用者端末に対してインターネットを介して接続されるアプリサービス運営サーバとを含む空き駐車場管理システムであって、前記アプリサービス運営サーバは、空き駐車場オーナーの属性及び所有する駐車場の情報を、予め駐車場データベースに登録する手段と、前記利用者の識別ＩＤ及びパスワードを、予め利用者データベースに登録する手段と、前記提供者端末からインターネットを介して、空き駐車場の時間賃借許可通知を受信し、駐車場データベースに賃借可能な空き駐車場として記憶する手段と、前記利用者端末からインターネットを介して、利用者の識別ＩＤの入力を促し、入力された識別ＩＤを前記利用者データベースへ照会して、利用者端末からのアクセスを許可するか否かを決定する手段と、許可された利用者端末からインターネットを介して、位置情報を含んだ空き駐車場検索要求を受信し、該位置情報をキーワードとして前記駐車場データベースから空き駐車場を検索して、指定位置近傍に存在する空き駐車場を抽出する手段と、前記利用者端末に前記空き駐車場情報を送信する手段とを備えたことを特徴とするものである。
【発明の効果】
【００１６】  本発明は上記のように構成したので、次のような優れた効果がある。
（１）駐車場提供者（オーナー）は、特段の設備投資をすることなく、空き駐車スペースを有効に活用できる。
（２）利用者は、市街地（繁華街）等での駐車スペースを簡便に確保できる。
（３）本発明の空き駐車場斡旋システムによれば、登録した者は、携帯電話端末の通信サービスやインターネットを介して、空き駐車場の所在に関する情報を２４時間いつでも取得することが可能となる。空き駐車場の利用者は、必要な駐車場が自分の近辺のどこにあるのかを即時に検索して、停車や駐車したい場所に最も近い空き駐車場を短時間、間借りすることができるので、路上駐車する必要がなくなる。これは、大都市、地方都市の中心地や繁華街における駐車場スペースの慢性的な不足を解消する。路上駐車の追放は、交通渋滞の解消などの社会貢献にもつながる。【００１７】  駐車場の所有者は、駐車場の空き情報を、インターネットに接続し得るスマートフォン、携帯電話、パーソナルコンピュータ等の端末を介してウエブ上に開示することができる。インターネット上での空き駐車場情報の共有化は、駐車場の所有者に、空いている駐車場を他者に有償で貸与する機会を増やす。【００１８】  公営・私営の時間貸し駐車場においても、空き駐車場情報の発信に利用可能である。各所の空き駐車場の情報を共有することで、空き駐車場施設の有効利用が一層促進される。【００１９】  アプリサービス運営サーバの運営者は、駐車場提供者及び／又は空き駐車場利用者から登録費や年会費を徴収し、また、駐車場の賃借契約の成立毎に仲介料を徴収することが可能である。【００２０】  インターネットは、利用者端末、提供者端末及びアプリサービス運営サーバを、プロバイダーと呼ばれる接続業者の設備により、加入者回線、専用線、無線等の回線を介して相互に接続可能に構成するものである。インターネットには、パーソナルコンピュータがアクセスできる他に、ポータル通信サービスによってスマートフォンや携帯電話、自動車に装備されウエブ接続可能なカーナビゲーションシステムとも交信可能である。【００２１】  駐車場の提供者とは、駐車場を所有する者であって、未利用時や遊休時に自身の所有する駐車場の他者使用を許容する者であれば特に制限がない。すなわち、一台以上の駐車場スペースを持っている者なら誰でも、本発明システムの駐車場オーナーになることができる。例えば、各企業体は、所有する駐車場を、昼間、営業車が出払っている間だけ、本システムの駐車場として提供可能である。時間貸しの駐車場を有する私営及び公営の駐車場施設もまた、常時、設備を提供可能である。個人は、休日等に自分が車で出かけた後の空きスペースを提供することができる。駐車場を経営するオーナーは、月極駐車場の遊休期間（例えば１週間〜２か月）だけ、本システムの駐車場提供者となり得る。これらの駐車場はすでに存在し、既存のコインパーキングのような機械設備を導入する必要がないので、初期投資も必要ない。【００２２】  空き駐車場の利用者とは、車で市街地等にやってきた者が、数分から数時間だけ、路上に停車や駐車したい者である。例えば、納品や集荷のために営業車両を停めなければならない者、配送や荷物の積み下ろし、路面に面した店舗での簡単な買い物や軽食を取る程度の時間などのように、数分から数十分程度の極めて短時間の間だけでも駐車する所用で車を市街地に乗り入れる個人等が挙げられる。【００２３】  インターネットに常時接続された���プリサービス管理サーバは、駐車場所有者の提供者端末と通信を行って空き駐車場の利用状況を取得し、また空き駐車場を利用したい利用者端末と通信を行って、利用者端末の検索要求に応じて、取得した空き駐車場の利用状況を利用者端末に送信する機能を有するサーバコンピュータである。該サーバコンピュータは、独自サーバとして設立される場合、利用者端末及び提供者端末から、空き駐車場斡旋管理サーバのＵＲＬを指定して、アプリサービス管理サーバ内のＷｅｂサイトとして閲覧である。前記サーバは、契約によってＹａｈｏｏ（登録商標）等のポータルサイトや、ｉ−モード（登録商標）内に構築するよう連携することも可能である。このような連携は、本システムの認知度を向上させ、空き駐車場利用者の利用度を増し、また、オーナーの空き駐車場の積極的な提供の動機付けとなる上で好ましい。【００２４】  本発明の管理システムでは、駐車場の提供者は、予め登録しておく必要がある。一方、空き駐車場の利用者もまた、事前に本人属性を斡旋管理サーバ内の利用者データベースに登録する必要がある。前記利用者データベースには、空き駐車場を賃借した代金のクレジット決済口座や請求書の請求先を登録することが好ましい。したがって、前記アプリサービス斡旋管理サーバは、前記利用者端末からインターネットを介して、抽出された空き駐車場を賃借する要求を受信するとともに、利用者へ請求書を発行又はクレジット決済する手段を有することが好ましい。【００２５】  本発明はまた、提供者端末からインターネットを介して、空き駐車場の時間賃借許可通知を受信し、駐車場データベースに空き駐車場を記憶するステップと、利用者端末からインターネットを介して、利用者の識別ＩＤの入力を促し、入力された識別ＩＤを利用者データベースへ照会して、利用者端末からの空き駐車場検索要求を許可するか否かを決定するステップと、許可された利用者端末からインターネットを介して、位置情報を含んだ空き駐車場検索要求を受信し、該位置情報をキーとして前記駐車場データベースから空き駐車場を検索して、指定位置近傍に存在する空き駐車場を抽出するステップと、前記利用者端末に前記空き駐車場情報を送信するステップとを備えたことを特徴とする。【００２６】  アプリサービス管理サーバは、さらに、利用者端末からインターネットを介して、抽出された空き駐車場うちの一つを賃借する要求を受信して、駐車場賃借契約を締結し、利用者へ請求書を発行又はクレジット決済するステップを有することが好ましい。【００２７】  空き駐車場利用の手順としては、車両ナンバーの撮影、決済方法の入力、個人情報の登録を含む車両登録ステップと、アプリケーションによる空き駐車場検索ステップと、アプリ上で駐車場を指定して入庫する入庫ステップと、出庫証明情報（画像等）を送信するステップと、駐車料金をクレジットカードや電子マネーで決済するステップからなる。
【図面の簡単な説明】
【００２８】
【図１】本発明に係る空き駐車場の管理システムの一実施例の構成を示すメットワーク構成図である。
【図２】本発明に係る空き駐車場の利用手順を示すフローチャートである。
【発明を実施するための形態】
以下、図面に示す実施例に基づいて本発明の実施の形態を説明する。
【実施例】
【００２９】  本発明の空き駐車場斡旋システムは、ウエブブラウザを備えたスマートフォン、携帯電話端末、パーソナルコンピュータ等の通信端末からインターネットを介してアクセス可能なウエブサイトとしてコンピュータで動作し得るシステムである。以下に、本発明のシステムの一実施形態を、図面を用いて説明する。【００３０】  図１は、本発明に係る空き駐車場管理システムのネットワーク構成図である。
本発明システムは、アプリサービス運営サーバ１と、空き駐車場利用者の端末２と、空き駐車場の提供者（オーナー）の端末３と、駐車場管理者の端末４と、電子決済運営者５とから構成される。【００３１】  オーナー端末３は、オーナーによって操作される端末であって、インターネットに接続されて、駐車場管理者端末４と双方向通信が可能である。このため、オーナー端末３は、ウエブブラウザ機能と、オーナーに関する情報（氏名、住所、決済口座等）や、駐車場に関する情報（駐車場の位置、駐車場スペースの大きさ、屋根の有無、駐車場の写真、駐車する上での注意事項等）、利用者の選択基準等を、駐車場管理者サーバ４の駐車場データベースに登録するための情報送信手段を具備する。そのような端末は、スマートフォン、携帯電話端末、パーソナルコンピュータ、タブレット端末等である。【００３２】  利用者端末２は、利用者によって操作される通信端末であって、アプリサービス運営サーバ１にアクセス可能なウエブブラウザ機能と、利用者に関する利用者情報（氏名、住所、決済口座等）をアプリサービス運営サーバ１の利用者データベースに登録するための利用者情報送信手段と、空き駐車場に関する利用者の検索要求をアプリサービス運営サーバ１へ送信する利用者要求情報送信手段とを具備する。そのような端末は、提供者端末と同じく、スマートフォン、携帯電話、パーソナルコンピュータ等である。【００３３】  アプリサービス運営サーバ１は、外部記憶装置等に格納されたアプリケーションプログラムが実行サーバ（ＣＰＵ）に読み込まれて実行される。この運営サーバ１は、通常のコンピュータと同様の構成であり、入力部、出力部、記憶部等の各部の制御やデータの転送、種々の演算、データの一時的な格納等を行う演算制御手段、インターネットを介して接続された端末から入力されるデータを制御するための入力制御手段、端末に出力されるデータを制御するための出力制御手段、各種のデータベースやアプリケーションプログラムを格納した外部記憶装置等を具備する。【００３４】  アプリサービス運営サーバ１の演算制御手段は、少なくとも駐車場情報記録手段、駐車場利用者記録手段及び駐車場情報検索手段を具備する。運営サーバー１は、さらにデータベース部を有し、これには、空き駐車場データ及び利用者データが蓄積される。【００３５】  駐車場情報記録手段は、オーナー端末３からオーナーの情報が送信された場合に、当該オーナー情報をデータベース部に登録してファイルを作成する機能を有する。尚、駐車場データベースは、オーナー及び駐車場毎に作成されるファイル集合体である。各ファイルは、オーナーの識別ＩＤ、ログインＩＤ、パスワード、空き駐車場の賃借収入の決済口座、駐車場の位置情報、駐車場の特記事項（収容スペース：幅×高さ×奥行き、写真等）、賃借契約の許可状況が格納管理される。位置情報には、郵便番号、電話番号、住所等を含み、これらの位置情報が、駐車場情報検索手段が検索するキーワードとして使用される。【００３６】  駐車場利用者記録手段は、利用者端末２から利用者情報が送信された場合に、当該利用者情報を利用者データベースに登録する機能を有する。利用者データベースは、空き駐車場を賃借する��めに、事前に駐車場利用者として登録管理するためのファイルである。ファイルは、利用者ＩＤ、利用者の氏名、利用者の連絡先、職業、決済口座、クレジット番号等を含む。勿論、オーナーが利用者になることもある。
利用者情報は、例えば、以下の情報からなる。
＜利用者情報＞
利用者識別情報：利用者を一意に識別するための情報を示す。
利用者名：利用者の氏名を示す。
生年月日：利用者の生年月日を示す。
利用者連絡先：利用者の住所、電話番号などを示す。
利用者ドレス：顧客の電子メールアドレスなどを示す。
利用者決済口座：クレジットカード番号【００３７】  利用者は、オーナーの空き駐車場の賃借契約を締結する際、対価の支払を円滑にするために、クレジットカードやプリペイドカードを使用して電子決済することが好ましい。したがって、管理サーバ１の利用者データベースには、利用者のクレジット番号を登録することが望ましい。クレジット番号の登録は、利用者の身元確認を兼ねることもできる。【００３８】  利用者データベースは、契約したが使われなかった、駐車料金を滞納している、駐車場施設を損壊したことがある等の駐車場利用者の信用情報を格納することも可能である。この信用情報に基づいてオーナーが利用者を選択することもできる。【００３９】  駐車場情報検索手段は、検索の前に利用者の識別ＩＤ、ログインＩＤ及びパスワードの入力を促す機能と、入力された識別ＩＤ等を前記利用者データベースへ照会して、利用者端末２からの駐車場検索要求を許可するか否かを決定する機能を有する。【００４０】  駐車場情報検索手段は、利用者の認証後、利用者端末２から送信された位置情報（郵便番号、電話番号、住所の一部）、適宜、複数の駐車場が抽出された場合の優先順位（例えば広い駐車場がよい、利用者の評価実績の高い駐車場がよい等）を含む駐車場検索要求を受信する。【００４１】  位置情報指定の別法として、ウエブ上の地図情報から空き駐車場を検索できるようにしてもよい。駐車場情報検索手段は、駐車場データベースの駐車場ファイルを順に読み出して、郵便番号や住所の一部等の位置情報をキーワードとして、駐車場データベースに蓄積された各々の属性情報を参照し、位置情報が一致する駐車場情報のファイルを抽出する一連の機能を有する。一致するファイルが複数存在する場合には、それらのファイルをすべて抽出する。【００４２】  駐車場情報検索手段は、抽出した複数の駐車場情報を例えば、駐車したい場所からの駐車場までの距離、現在地から駐車場までの走行時間又は距離の順位、現在地と駐車場との位置関係、駐車場の面積、駐車場提供者の信用情報（これまでの実績）、これらの組合せに基づいて、優先順位を決める機能を有する。【００４３】  取得された駐車場ファイルの内容は、管理サーバ１の制御演算手段の作業用記憶領域内に一時記憶される。【００４４】  抽出された空き駐車場の情報は、空き駐車場情報送信手段によって、利用者端末に送信される。利用者端末における空き駐車場の表示は、例えば駐車場の住所をリスト化したものである。さらには、駐車場の位置情報に基づいて、ポータルサイトの地図情報サービスや自動車に搭載されたカーナビゲーションシステム上に駐車場マークを表示させるようにしてもよい。こうすると、空き駐車場への道順が明確になる点で利便である。さらには、駐車場のリスト又はマップ上の駐車場マークを指示することによって、駐車場の外観画像を表示するとよい。【００４５】  利用者端末２は、受信した空き駐車場のリストや空き駐車場地点の記されたマップを閲覧して、その中から空き駐車場を選択して、その賃借契約を求める内容を管理サーバ１へ送信する。管理サーバ１は、利用者端末２からの賃借契約要求を受けて、契約を締結するとともに、利用者の決済口座へ賃借の対価を引き落とすように電子決済運営者５へ手続きを取り、又は請求書を発行する空き駐車場賃借契約手段を有する。【００４６】  次に、本発明の実施の形態における空き駐車場利用手順の一例を図２のフローチャートに基づいて説明する。【００４７】  空き駐車場利用の手順としては、車両ナンバーの撮影、決済方法の入力、個人情報の登録を含む車両登録ステップＳ１と、アプリケーションによる空き駐車場検索ステップＳ２と、アプリ上で駐車場を指定して入庫する入庫ステップＳ３と、出庫証明情報（画像等）を送信するステップＳ４と、駐車料金をクレジットカードや電子マネーで決済するステップＳ４からなる。
【符号の説明】
【００４８】１  アプリサービス運営サーバ
２  利用者端末
３  オーナー端末
４  駐車場管理者端末
５  電子決済運営者端末
【図１】
2013214265.tif 000003
【図２】
2013214265.tif 000004